(57)【要約】【課題】  パイプの高速連結構造を提供するものである。【解決手段】  外部パイプと軟性の内部パイプを有し、前記外部パイプには、コネクタが設けられ、前記コネクタの末端には、一体に製造されるＣ字状リングが設けられ、前記軟性の内部パイプが前記外部パイプを貫通して前記コネクタから伸び出し、前記軟性の内部パイプの末端におけるヘッド部は、前記Ｃ字状リングに嵌め込むことを特徴とするパイプの高速連結構造を提供する。【選択図】図１
2017044339.tif 000002
【特許請求の範囲】
【請求項１】
外部パイプと軟性の内部パイプを有し、前記外部パイプには、コネクタが設けられ、前記コネクタの末端には、一体的に製造されるＣ字状リングが設けられ、前記軟性の内部パイプが前記外部パイプを貫通して前記コネクタから伸び出し、前記軟性の内部パイプの末端におけるヘッド部は、前記Ｃ字状リングに嵌め込まれることを特徴とするパイプの高速連結構造。
【請求項２】
前記コネクタは、軟性パイプのコネクタを通じて前記外部パイプと連結されることを特徴とする請求項１に記載のパイプの高速連結構造。
【請求項３】
前記軟性パイプのコネクタの一端は、前記外部パイプと連結され、前記軟性パイプのコネクタの外周には、前記外部パイプの端面と互いに嵌合する位置決めリングが設けられ、前記軟性パイプのコネクタの他端は、前記コネクタのねじ山と連結されることを特徴とする請求項２に記載のパイプの高速連結構造。
【請求項４】
前記外部パイプの末端に可動式の連結カバーが設けられ、前記コネクタの外周に前記連結カバーが前記外部パイプから離脱することを防止するためのストッパーリングが設けられることを特徴とする請求項１ないし３の何れか１項に記載のパイプの高速連結構造。
【請求項５】
前記軟性パイプのコネクタには、第１のリング状封止溝が形成され、前記第１のリング状封止溝には、前記コネクタとぴったりと密着した第１封止リングが設けられることを特徴とする請求項２または３に記載のパイプの高速連結構造。
【請求項６】
前記コネクタには、第２のリング状封止溝が設けられ、前記第２のリング状封止溝には、連結コネクタ部本体の外表面を封止するための第２封止リングが設けられることを特徴とする請求項１に記載のパイプの高速連結構造。
【請求項７】
前記軟性の内部パイプの末端におけるヘッド部には、連結コネクタ部本体の内表面を封止するための少なくとも１つの突出状の封止リング部が設けられることを特徴とする請求項１に記載のパイプの高速連結構造。
【発明の詳細な説明】
【技術分野】
【０００１】
本発明は、パイプの高速連結構造に関するものである。
【背景技術】
【０００２】
パイプは日常生活によく使用されるものであり、また、蛇口から水が必要な場所に水が流れるために、パイプの長さを伸ばせる連結構造が使用されている。
【発明の概要】
【発明が解決しようとする課題】
【０００３】
しかしながら、従来のパイプの連結構造は、その構成が複雑であり、且つ部品も多くなり、生産コストが向上してしまう問題を有するだけではなく、その組立てには時間が掛かることになり、生産の効率が低減してしまう課題がある。
【課題を解決するための手段】
【０００４】
前記の課題に鑑み、本発明の目的は、構造が簡単であり、製造コストが安く、組み立てに便利であり、しかも強固に固定できるパイプの高速連結構造を提供することである。
【０００５】
前記の課題を解決するために、本発明に係わるパイプの高速連結構造は、外部パイプと軟性の内部パイプを有し、前記外部パイプには、コネクタが設けられ、前記コネクタの末端には、一体的に製造されるＣ字状リングが設けられ、前記軟性の内部パイプが前記外部パイプを貫通して前記コネクタから伸び出し、前記軟性の内部パイプの末端におけるヘッド部は、前記Ｃ字状リングに嵌め込まれる。
【０００６】
また、前記コネクタは、軟性パイプのコネクタを通じて前記外部パイプと連結される。
【０００７】
また、前記軟性パイプのコネクタの一端は、前記外部パイプと連結され、前記軟性パイプのコネクタの外周には、前記外部パイプの端面と互いに嵌合する位置決めリングが設けられ、前記軟性パイプのコネクタの他端は、前記コネクタのねじ山と連結される。
【０００８】
また、前記外部パイプの末端に可動式の連結カバーが設けられ、前記コネクタの外周に前記連結カバーが前記外部パイプから離脱することを防止するためのストッパーリングが設けられる。
【０００９】
また、前記軟性パイプのコネクタには、第１のリング状封止溝が形成され、前記第１のリング状封止溝には、前記コネクタとぴったりと密着した第１封止リングが設けられる。
【００１０】
また、前記コネクタには、第２のリング状封止溝が設けられ、前記第２のリング状封止溝には、連結コネクタ部本体の外表面を封止するための第２封止リングが設けられる。
【００１１】
また、前記軟性の内部パイプの末端におけるヘッド部には、連結コネクタ部本体の内表面を封止するための少なくとも１つの突出状の封止リング部が設けられる。
【発明の効果】
【００１２】
本発明に係わるパイプの高速連結構造は、従来の構成と比較して、下記のようなメリットが有する。
前記パイプの高速連結構造では、軟性の内部パイプを固定するためのＣ字状リングとコネクタとを一体に製造し、前記軟性の内部パイプの半径方向での圧縮可能性を利用して前記軟性の内部パイプをコネクタのＣ字状リングに嵌め込み、内部パイプと外部パイプをこのような特殊のコネクタによって固定することができ、しかも構造が簡単で、製造コストが低く、組立てが簡単であるから、製品の生産効率を向上することができ、使用にあたっても丈夫である。
【図面の簡単な説明】
【００１３】
【図１】本発明に係るパイプの高速連結構造を示す斜視図である。
【図２】本発明に係るパイプの高速連結構造を示す断面図である。
【図３】本発明に係るパイプの高速連結構造におけるコネクタを示す斜視図である。
【図４】本発明に係るパイプの高速連結構造における連結コネクタ部本体を示す断面図である。
【発明を実施するための形態】
【００１４】
本発明の上述の特徴とメリットを更に明らかにするために、具体的な実施例と合わせて添付図面によって詳細に説明するが、本発明は、これらの実施例に限られていない。
【００１５】
図１ないし図４に示すように、本発明に係るパイプの高速連結構造は、外部パイプ（１００）と軟性の内部パイプ（２００）を有し、前記外部パイプ（１００）には、コネクタ（３００）が設けられ、前記コネクタ（３００）の末端には、一体に製造されるＣ字状リング（３１０）が設けられ、前記軟性の内部パイプ（２００）が前記外部パイプ（１００）を貫通して前記コネクタ（３００）から伸び出し、前記軟性の内部パイプ（２００）の末端におけるヘッド部は、前記Ｃ字状リング（３１０）に嵌め込まれる。また、前記軟性の内部パイプ（２００）の内部空間は、第１トンネル（Ａ）であり、前記軟性の内部パイプ（２００）の外壁と前記外部パイプ（１００）の内壁との間に形成される空間は、第２トンネル（Ｂ）である。
【００１６】
本実施例において、前記コネクタ（３００）は、軟性パイプのコネクタ（４００）を通じて前記外部パイプ（１００）と連結されるため、他の部材を設置する必要がない。前記軟性パイプのコネクタ（４００）の一端は、前記外部パイプ（１００）の内部に挿入されると共に、前記外部パイプ（１００）と連結され、前記軟性パイプのコネクタ（４００）の外周には、前記外部パイプ（１００）の端面と互いに嵌合する位置決めリング（４１０）が設けられ、前記軟性パイプのコネクタ（４００）の他端は、その外部ねじ山によって前記コネクタ（３００）の内部ねじ山と連結される。前記軟性パイプのコネクタ（４００）には、第１のリング状封止溝（４２０）が形成され、前記第１のリング状封止溝（４２０）には、前記コネクタ（３００）とぴったりと密着した第１封止リング（４３０）が設けられる。
【００１７】
本実施例において、前記外部パイプ（１００）の末端に可動式の連結カバー（５００）が設けられ、前記コネクタ（３００）の外周に前記連結カバー（５００）が前記外部パイプ（１００）から離脱することを防止するためのストッパーリング（３２０）が設けられる。前記連結カバー（５００）の末端には、連結コネクタ部の入水端における外部ねじ山と互いに嵌合する内部ねじ山が設けられ、前記連結コネクタ部の入水端における外部ねじ山は、連結コネクタ部本体（６００）における外部ねじ山である。
【００１８】
本実施例において、前記コネクタ（３００）には、第２のリング状封止溝（３３０）が設けられ、前記第２のリング状封止溝（３３０）には、前記連結コネクタ部本体（６００）の外表面（６２０）を封止するための第２封止リング（３４０）が設けられる。前記軟性の内部パイプ（２００）の末端におけるヘッド部には、前記連結コネクタ部本体（６００）の内表面（６１０）を封止するための２つの突出状の封止リング部（２１０）が設けられる。
【００１９】
以下に、本発明に係わるパイプの高速連結構造の組立方式を説明する。
【００２０】
１：外部パイプ（１００）を軟性パイプのコネクタ（４００）の一端と連結する。２：連結後、連結カバーを取り付ける。３：コネクタ（３００）と軟性パイプのコネクタの他端とを螺合して連結させる。４：軟性の内部パイプ（２００）を外部パイプ（１００）に通した後、コネクタ（３００）から伸び出させ、自身の柔軟性を利用してコネクタ（３００）のＣ字状リング（３１０）に嵌め込む。この組立ては簡単で、結合強度が安定している。５：組立てた後のパイプの高速連結構造を連結コネクタ部の入水端における外部ねじ山と螺合して連結する。
【００２１】
上述の説明は、本発明の好適な実施例に対する具体的な説明であるが、これらの実施例は本発明における特許請求の範囲を限定するものではなく、本発明の要旨に基づいてこれらの実施例の効果と等しい変形や変更して異なるパイプの高速連結構造を完成することができ、これらの変形や変更は本発明における特許請求の範囲に含まれるべきである。
【符号の説明】
【００２２】
１００  外部パイプ
２００  軟性の内部パイプ
２１０  突出状の封止リング部
３００  コネクタ
３１０  Ｃ字状リング
３２０  ストッパーリング
３３０  第２のリング状封止溝
３４０  第２封止リング
４００  軟性パイプのコネクタ
４１０  位置決めリング
４２０  第１のリング状封止溝
４３０  第１封止リング
５００  連結カバー
６００  連結コネクタ部本体
６１０  内表面
６２０  外表面
Ａ      第１トンネル
Ｂ      第２トンネル
【図１】
2017044339.tif 000003
【図２】
2017044339.tif 000004
【図３】
2017044339.tif 000005
【図４】
2017044339.tif 000006